(57)【要約】【課題】光源としてのLEDに故障部分が検出された場合であっても、コスト増大を招くことなく、ユーザに対して原稿サイズ情報を入力する余分な操作を要求することもなく、読取対象とされている原稿についての定型原稿サイズの検出を可能にする。【解決手段】スキャナ部は、複数のＬＥＤが、主走査方向に並ぶ複数のブロック毎に駆動回路と接続されてなり、当該各ブロックが異なる定型原稿サイズの主走査方向における原稿幅に対応する原稿サイズ切替ポイントを２つ以上含まない位置に配設された光源を有し、原稿サイズ算出部２１１１は、原稿幅算出部２１１０によって算出された原稿幅を有する定型原稿サイズが存在せず、故障検出部２１１２により上記ブロックのいずれか１つに故障が検出されている場合は、当該故障が検出されたブロックに含まれる原稿サイズ切替ポイントの原稿幅を有する定型原稿サイズを、読取対象の原稿のサイズとして算出する。【選択図】図５
2010252088.tif 000002
【特許請求の範囲】
【請求項１】
読取対象となる原稿が載置される透明な原稿台と、
主走査方向に並ぶ複数のＬＥＤが、当該主走査方向に並ぶ複数のブロック毎に駆動回路と接続されてなり、当該各ブロックが異なる定型原稿サイズの当該主走査方向における原稿幅に対応する原稿サイズ切替ポイントを２つ以上含まない位置に配設されてなる光源と、当該光源により前記原稿台上に載置された原稿を照射して当該原稿の画像を読取る光電変換素子とを有する画像読取部と、
前記画像読取部により読み取られた原稿の画像をなす画素値が、前記主走査方向において予め定められた値以上の変化を示す変化点を、当該原稿の前記主走査方向における原稿幅として算出する原稿幅算出部と、
前記原稿幅算出部によって算出された原稿幅を有する定型原稿サイズを算出する原稿サイズ算出部と、
前記ＬＥＤに故障が発生しているか否かを前記各ブロック毎に検出する故障検出部とを備え、
前記原稿サイズ算出部は、前記算出された原稿幅を有する定型原稿サイズが存在せず、前記故障検出部によって前記ブロックのいずれか１つに故障が検出されている場合には、当該故障が検出されているブロックの配設位置に含まれる前記原稿サイズ切替ポイントに対応する原稿幅を有する定型原稿サイズを、当該読取対象とされている原稿の原稿サイズとして算出する画像読取装置。
【請求項２】
前記原稿幅算出部は、前記故障検出部によって故障が発生しているブロックが検出された場合であっても、前記画像読取部により読み取られた原稿の画像をなす画素値であって、前記故障検出部によって故障が検出されていないブロックの照射領域に位置する画素値に前記変化点が存在する場合は、当該変化点を、当該原稿の前記主走査方向における原稿幅として算出する請求項１に記載の画像読取装置。
【請求項３】
ユーザに対する操作案内を表示する表示部と、
ユーザから原稿読取指示の入力を受け付ける操作部と、
前記故障検出部により故障の発生しているブロックが検出されているときに、前記原稿サイズ算出部によって前記読取対象とされている原稿の原稿サイズが算出された場合、故障が発生していない各ブロックによって照射される連続した照射領域の前記主走査方向における幅が、前記算出された原稿サイズの主走査方向幅以上となっているか否かを判断する判断部と、
前記判断部によって前記照射領域が前記検出された原稿サイズの主走査方向幅以上であると判断された場合に、前記表示部に、故障の発生しているブロック、又は故障の発生していないブロックを示すメッセージを表示させる表示制御部と、
前記メッセージの表示後に、前記操作部に前記原稿読取指示の入力が受け付けられたことをもって、前記原稿サイズが検出された原稿についての画像読取を前記画像読取部に行わせる制御部と
を備える請求項１又は請求項２に記載の画像読取装置。
【請求項４】
前記表示制御部は、前記判断部によって前記照射領域が前記検出された原稿サイズの主走査方向幅以上ではないと判断された場合に、当該原稿サイズが検出された原稿についての画像読取が不可能である旨のメッセージを前記表示部に表示させる請求項３に記載の画像読取装置。
【請求項５】
請求項１乃至請求項４のいずれかに記載の画像読取装置と、
前記画像読取装置によって読み取られた原稿画像に基づいて画像形成を行う画像形成部と
を備える画像形成装置。
【発明の詳細な説明】
【技術分野】
【０００１】
本発明は、画像読取装置及び画像形成装置に関し、特に、読取対象とされる原稿のサイズを検出する技術に関する。
【背景技術】
【０００２】
従来、画像読取装置の光源としては、発熱が小さく、消費電力が小さい利点を有するLED群を配したLEDアレイ光源が提案されている。このLEDアレイ光源は、複数個のLEDからなるブロック毎に駆動回路に接続される構成とすることで、電気系統に不具合が生じた場合、部分的に読み取れない箇所は発生するものの、ハロゲンランプやキセノン管とは違って、全てのLED群が消えるおそれが低減される。このため、下記特許文献１に示されるように、一部のLEDに故障部分を検出しても、その時点で読取対象とされている原稿の読取が当該故障部分以外の光照射で足りる場合には当該原稿の読取を実行する技術や、下記特許文献２に示されるように、光源としてのLEDに故障部分を検出しても、当該故障部分以外の領域に原稿を寄せて読取を可能にする技術が提案されている。
【先行技術文献】
【特許文献】
【０００３】
【特許文献１】特開２００４−６４４０６号公報
【特許文献２】特開２００７−２０１９５２号公報
【発明の概要】
【発明が解決しようとする課題】
【０００４】
上記各従来技術のように、光源であるLEDの故障検出時に原稿読取を実行するには、読取対象の原稿のサイズ情報が必要である。しかしながら、原稿サイズの判別手法としては、(1)原稿読取台において原稿サイズが切り替わる境界に設置された反射型センサで原稿サイズを検出する、(2)ユーザから操作部に入力された原稿サイズ情報を取得する、又は(3)ラインセンサで原稿を読んで原稿サイズを判別する、等の技術が提案されているが、これらは、原稿サイズ情報の取得のための特別な機構を必要とするためにコスト高を招く、或いは、ユーザに対して原稿サイズ情報を入力する余分な操作を要求することになる等の問題点がある。
【０００５】
本発明は、上記の問題を解決するためになされたもので、光源としてのLEDに故障部分が検出された場合であっても、コスト増大を招くことなく、ユーザに対して原稿サイズ情報を入力する余分な操作を要求することもなく、読取対象とされている原稿についての定型原稿サイズの検出を可能にすることを目的とする。
【課題を解決するための手段】
【０００６】
本発明の請求項１に記載の発明は、読取対象となる原稿が載置される透明な原稿台と、
主走査方向に並ぶ複数のＬＥＤが、当該主走査方向に並ぶ複数のブロック毎に駆動回路と接続されてなり、当該各ブロックが異なる定型原稿サイズの当該主走査方向における原稿幅に対応する原稿サイズ切替ポイントを２つ以上含まない位置に配設されてなる光源と、当該光源により前記原稿台上に載置された原稿を照射して当該原稿の画像を読取る光電変換素子とを有する画像読取部と、
前記画像読取部により読み取られた原稿の画像をなす画素値が、前記主走査方向において予め定められた値以上の変化を示す変化点を、当該原稿の前記主走査方向における原稿幅として算出する原稿幅算出部と、
前記原稿幅算出部によって算出された原稿幅を有する定型原稿サイズを算出する原稿サイズ算出部と、
前記ＬＥＤに故障が発生しているか否かを前記各ブロック毎に検出する故障検出部とを備え、
前記原稿サイズ算出部は、前記算出された原稿幅を有する定型原稿サイズが存在せず、前記故障検出部によって前記ブロックのいずれか１つに故障が検出されている場合には、当該故障が検出されているブロックの配設位置に含まれる前記原稿サイズ切替ポイントに対応する原稿幅を有する定型原稿サイズを、当該読取対象とされている原稿の原稿サイズとして算出する画像読取装置である。
【０００７】
この発明では、複数のＬＥＤを主走査方向に並ぶ複数のブロック毎に駆動回路と接続し、当該各ブロックが異なる定型原稿サイズの原稿幅に対応する原稿サイズ切替ポイントを２つ以上含まない位置に配設された構成とし、原稿サイズ算出部は、上記算出された原稿幅を有する原稿サイズが存在せず、故障検出部によって上記ブロックのいずれか１つに故障が検出されている場合には、当該故障が検出されているブロックの配設位置に含まれる原稿サイズ切替ポイントに対応する原稿幅を有する原稿サイズを、当該読取対象の原稿の定型原稿サイズとして算出する。このため、本発明は、主走査方向において読取対象原稿の用紙幅端部に位置する上記ブロックが故障し、当該ブロックによる照射領域での読取画像が得られない場合であっても、当該故障したブロックに含まれる原稿サイズ切替ポイントの示す原稿幅を有する定型原稿サイズを検出できる。これにより、本発明は、光源としてのLEDに故障部分が検出された場合であっても、反射型センサ等の別個の機構を必要としたり、ユーザに対して原稿サイズ情報の入力操作を要求することなく、読取対象とされている原稿についての定型原稿サイズを検出できる。
【０００８】
また、請求項２に記載の発明は、請求項１に記載の画像読取装置であって、前記原稿幅算出部は、前記故障検出部によって故障が発生しているブロックが検出された場合であっても、前記画像読取部により読み取られた原稿の画像をなす画素値であって、前記故障検出部によって故障が検出されていないブロックの照射領域に位置する画素値に前記変化点が存在する場合は、当該変化点を、当該原稿の前記主走査方向における原稿幅として算出するものである。
【０００９】
この発明によれば、故障検出部によって故障の検出されたブロックが上記変化点を含まず、故障が検出されていない他のブロックの領域で当該変化点を検出できる場合は、原稿幅算出部が、当該検出された変化点を、読取対象とされている原稿の主走査方向における原稿幅として算出するので、光源としてのLEDに故障部分が検出された場合であっても、読取対象とされている原稿についての定型原稿サイズを検出することができる。
【００１０】
また、請求項３に記載の発明は、請求項１又は請求項２に記載の画像読取装置であって、ユーザに対する操作案内を表示する表示部と、
ユーザから原稿読取指示の入力を受け付ける操作部と、
前記故障検出部により故障の発生しているブロックが検出されているときに、前記原稿サイズ算出部によって前記読取対象とされている原稿の原稿サイズが算出された場合、故障が発生していない各ブロックによって照射される連続した照射領域の前記主走査方向における幅が、前記算出された原稿サイズの主走査方向幅以上となっているか否かを判断する判断部と、
前記判断部によって前記照射領域が前記検出された原稿サイズの主走査方向幅以上であると判断された場合に、前記表示部に、故障の発生しているブロック、又は故障の発生していないブロックを示すメッセージを表示させる表示制御部と、
前記メッセージの表示後に、前記操作部に前記原稿読取指示の入力が受け付けられたことをもって、前記原稿サイズが検出された原稿についての画像読取を前記画像読取部に行わせる制御部と
を備えるものである。
【００１１】
この発明によれば、判断部によって、故障が発生していない各ブロックによって照射される連続した照射領域の上記主走査方向における幅が、上記算出された原稿サイズの主走査方向幅以上となっていると判断された場合に、表示制御部が、故障の発生しているブロック、又は故障の発生していないブロックを示すメッセージを表示部に表示させるので、ユーザは、当該メッセージを視認して、故障が発生していない照射領域に対応する原稿台上の位置に原稿の載置位置を変更することによって、光源としてのLEDに故障部分が検出された場合であっても、反射型センサ等の別個の機構を必要としたり、ユーザに対して原稿サイズ情報の入力操作を要求することなく、定型原稿サイズの算出及び読取対象の原稿の画像読取を実行できる。
【００１２】
また、請求項４に記載の発明は、請求項３に記載の画像読取装置であって、前記表示制御部は、前記判断部によって前記照射領域が前記検出された原稿サイズの主走査方向幅以上ではないと判断された場合に、当該原稿サイズが検出された原稿についての画像読取が不可能である旨のメッセージを前記表示部に表示させるものである。
【００１３】
この発明によれば、判断部によって、上記照射領域が上記検出された原稿サイズの主走査方向幅以上ではないと判断された場合には、表示制御部が、当該原稿サイズが検出された原稿についての画像読取が不可能である旨のメッセージを表示部に表示させるので、当該故障が発生している画像読取部によっては、読取対象の原稿の画像読取が不可能であることをユーザに認識させることができる。
【００１４】
また、請求項５に記載の発明は、請求項１乃至請求項４のいずれかに記載の画像読取装置と、
前記画像読取装置によって読み取られた原稿画像に基づいて画像形成を行う画像形成部と
を備える画像形成装置である。
【００１５】
この発明によれば、請求項１乃至請求項４のいずれかに記載の発明によって得られる作用を奏することができる。
【発明の効果】
【００１６】
本発明によれば、光源としてのLEDに故障部分が検出された場合であっても、コスト増大を招くことなく、ユーザに対して原稿サイズ情報を入力する余分な操作を要求することもなく、読取対象とされている原稿についての定型原稿サイズを検出することができる。
【図面の簡単な説明】
【００１７】
【図１】本実施の形態における複合機の内部構成を模式的に示した縦断面図である。
【図２】スキャナ部のＬＥＤアレイ光源の概略構成を示す図である。
【図３】ＬＥＤアレイ光源の各ブロックと定型原稿サイズとの関係を示す図である。
【図４】複合機の画像読取装置を示した概略側面図である。
【図５】画像読取装置の画像読取回路の概略構成を示すブロック図である。
【図６】原稿サイズ算出部及び故障検出部と、シェーディング補正部の内部構成を示すブロック図である。
【図７】白基準値のサンプルデータの例を示す図である。
【図８】スキャナ部により原稿サイズ検出時に行われる画像読取での画素値のサンプルデータの例を示す図である。
【図９】複合機のスキャナ部による画像読取動作時の処理を示すフローチャートである。
【図１０】複合機のスキャナ部による画像読取動作時の処理を示すフローチャートである。
【図１１】スキャナ部により原稿サイズ検出時に行われる画像読取での画素値のサンプルデータの例を示す図である。
【図１２】コンタクトガラス上に載置された原稿と光源の各ブロックとの位置関係を示す図である。
【図１３】コンタクトガラス上に載置された原稿と光源の各ブロックとの位置関係を示す図である。
【図１４】コンタクトガラス上に載置された原稿と光源の各ブロックとの位置関係を示す図である。
【発明を実施するための形態】
【００１８】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。
【００１９】
図１は本実施の形態における複合機１の内部構成を模式的に示した縦断面図である。図２はスキャナ部のＬＥＤアレイ光源の概略構成を示す図である。図３はＬＥＤアレイ光源の各ブロックと定型原稿サイズとの関係を示す図である。
【００２０】
複合機１は大きく分けると画像読取装置２と装置本体３とからなる。画像読取装置２は、原稿給紙部（原稿搬送部）２１とスキャナ部２２を備えて構成される。原稿給紙部２１はＡＤＦを実現するものであり、原稿トレイ２４１、給紙ローラ２３２、搬送ドラム２３３、排紙ローラ２３４及び排紙トレイ２３５を有する。原稿トレイ２４１は原稿が載置される場所であり、原稿トレイ２４１に載置された原稿は１枚ずつ給紙ローラ２３２によって取り込まれて搬送ドラム２３３へ搬送される。搬送ドラム２３３を経由した原稿は排紙ローラ２３４によって排紙トレイ２３５へ排出される。
【００２１】
スキャナ部（画像読取部の一例）２２は、原稿の画像を光学的に読み取って画像データを生成するものである。スキャナ部２２は、装置本体３に設けられている。スキャナ部２２は、コンタクトガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２としてLEDアレイ光源が用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。
【００２２】
スキャナ部２２は、図２に示すように、光源２２２として、主走査方向に並ぶ複数のＬＥＤ２２０が、当該主走査方向に並ぶ複数のブロックＡ〜Ｅのそれぞれのブロック毎に、DC-DCコンバータ２２２１及び低電流駆動回路２２２２等の駆動回路と接続されたLEDアレイ光源を備えている。低電流駆動回路２２２２は、後述する制御部２１１５に接続されている。この光源２２２は、当該各ブロックＡ〜Ｅのそれぞれのブロックが12個のＬＥＤを備える。なお、低電流駆動回路２２２２は、後述する制御部２１１５に接続されている。本実施形態では、光源２２２は、各ＬＥＤの主走査方向における大きさが5mmであるものを備える例を示す。この場合、ブロックＡ〜Ｅはそれぞれ12個のＬＥＤを備える。
【００２３】
本実施形態では、図３に示すように、各ブロックＢ〜Ｅのそれぞれのブロックは、原稿読取領域における主走査方向において、定型原稿サイズの原稿幅に対応する原稿サイズ切替ポイントを１つずつ含む位置に配設されている。例えば、各ブロックＡ〜Ｅは、それぞれ上記主走査方向における幅6cmとして当該主走査方向に並設される。このように各ブロックＡ〜Ｅの主走査方向幅を設定することで、ブロックＥは、定型用紙のA判サイズ(mm)であるA3サイズ297mm(297mm×420mm)の原稿幅に対応する原稿サイズ切替ポイントを含み、ブロックＤはA4サイズ210mm(210mm×297mm) の原稿幅に対応する原稿サイズ切替ポイントを含み、ブロックＣはA5サイズ148mm(148mm×210mm) の原稿幅に対応する原稿サイズ切替ポイントを含み、ブロックＢはA6サイズ105mm(105mm×148mm) の原稿幅に対応する原稿サイズ切替ポイントを含む構成となる。
【００２４】
ＣＩＳ２３１は、スキャナ部２２よりも原稿搬送方向下流側に設けられている。ＣＩＳ２３１は、原稿搬送路において、スキャナ部２２によって読み取られる原稿面とは反対側の面を読取可能な位置に設けられている。
【００２５】
コンタクトガラス（特許請求の範囲の原稿台の一例）２２１は原稿を載置する場所である。原稿給紙部２１は、装置本体３の上面縁部（図１では図面奥側）に、コンタクトガラス２２１に対する接離方向に回動可能に取り付けられている。後述するフラットベッド読取モードの場合、ユーザは、原稿給紙部２１をコンタクトガラス２２１から離れる方向に回動させ、コンタクトガラス２２１を露出させる。
【００２６】
スキャナ部２２の光源２２２及び第１ミラー２２３は、第１キャリッジ２２６によって支持され、第２ミラー２２４及び第３ミラー２２５は、第２キャリッジ２２７によって支持されている。
【００２７】
画像読取装置２の原稿読取方法としては、コンタクトガラス２２１上に載置された原稿をスキャナ部２２が読み取るフラットベッド読取モードと、原稿をＡＤＦによって取り込み、その搬送途中で原稿を読み取るＡＤＦ読取モードがある。
【００２８】
フラットベッド読取モードでは、光源２２２がコンタクトガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００２９】
ＡＤＦ読取モードでは、原稿トレイ２４１に載置された原稿が給紙ローラ２３２によって１枚ずつ取り込まれ、搬送ドラム２３３から排紙トレイ２３５への搬送経路に設けられた画像読取位置２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、フラットベッド読取モードによって原稿を自動給紙し、画像の読み取りを行うことを前提に説明を行う。
【００３０】
更に、原稿給紙部２１は切換ガイド２３６、反転ローラ２３７及び反転搬送路２３８からなる原稿反転機構を有する。１回目のＡＤＦ読み取りによって表面（原稿の一方の面）が読み取られた原稿を、原稿反転機構を用いて反転させて再搬送することによって、再度ＣＣＤ２２９によって裏面（原稿の他方の面）の読み取りを行わせることができる。この原稿反転機構は、両面読み取り時にのみ動作し、片面読み取り時は動作しない。片面読み取り時及び両面読み取り時において裏面の読み取り後、切換ガイド２３６は上側に切り替えられ、搬送ドラム２３３を経た原稿は排紙ローラ２３４によって排紙トレイ２３５に排紙される。両面読み取り時における表面読み取り後、切換ガイド２３６は下側に切り替えられ、搬送ドラム２３３を経た原稿は反転ローラ２３７のニップ部へ搬送される。その後、切換ガイド２３６は上側へ切り替わって反転ローラ２３７が逆回転することにより、原稿は反転搬送路２３８を介して搬送ドラム２３３へ再搬送される。
【００３１】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ２３１によって原稿の裏面の読み取りを行わせることが可能である。つまり、原稿トレイ２４１から給紙された原稿は画像読取位置２３０上を通過するときにＣＣＤ２２９によって表面が読み取られ、更にＣＩＳ２３１を通過する際に裏面が読み取られる。このようにＣＣＤ２２９とＣＩＳ２３１を用いることで、ワンパスで原稿の両面の読み取りが可能となる。
【００３２】
複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成部）４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３３】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００３４】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００３５】
また、装置本体３の前方には、ユーザが操作画面や各種メッセージ等を視認することができる表示部５１や、種々の操作命令を入力するための操作ボタンを有する操作部５が備えられている。この操作部５は、タッチパネルを備える表示部５１、数字キー群５３、スタートボタン５５等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。
【００３６】
次に、スキャナ部２２及びＣＩＳ２３１によるシェーディング補正用の黒基準値及び白基準値の取得動作を説明する。図４は、複合機１の画像読取装置２を示した概略側面図である。
【００３７】
本実施形態の画像読取装置２には、画像読取位置２３０から外れた位置であって、スキャナ部２２による画像読取が可能な位置に、白色基準板（白色基準部材）１０が設けられている。白色基準板１０は、主走査方向（図４において紙面に直交する方向）に延びるように、コンタクトガラス２２１に取り付けられた白色の帯板状部材である。スキャナ部２２がシェーディング補正用の白基準値を取得する場合、上記副走査方向において白色基準板１０の位置まで第１キャリッジ２２６及び第２キャリッジ２２７が移動し、光源２２２により白色基準板１０の白色面を照射した状態で、当該白色面を読み取る。また、スキャナ部２２がシェーディング補正用の黒基準値を取得する場合、同様に白色基準板１０の位置まで第１キャリッジ２２６及び第２キャリッジ２２７が移動し、光源２２２を消灯して白色基準板１０の白色面を非照射とした状態で当該白色面を読み取る。
【００３８】
次に、複合機１における画像読取装置２についての画像読取回路を説明する。図５は、画像読取装置２の画像読取回路の概略構成を示すブロック図である。画像読取装置２の画像読取回路２１０は、ＣＰＵ２１１と、ＲＡＭ２１２と、ＲＯＭ２１３と、A/D変換部２１７と、シェーディング補正部２１８と、画像処理部２１９とを備える。これら各部は、バスBUSによって互いに通信可能に接続されている。
【００３９】
ＣＰＵ２１１は、複合機１の全体的な動作制御を司るための制御回路である。ＣＰＵ２１１は、ＲＯＭ２１２又は図略のＨＤＤに記憶されている複合機１及び画像読取装置２の動作制御プログラムに従った動作により、原稿幅算出部２１１０、原稿サイズ算出部２１１１、故障検出部２１１２、判断部２１１３、表示制御部２１１４、及び制御部２１１５として機能する。
【００４０】
原稿幅算出部２１１０は、スキャナ部２２により読み取られた原稿の画像をなす画素値が、上記主走査方向において予め定められた値（例えば、白黒二値データの場合における画素値128）以上の変化を示す変化点を、当該原稿の上記主走査方向における原稿幅として算出する。
【００４１】
原稿サイズ算出部２１１１は、原稿幅算出部２１１０によって算出された原稿幅を有する定型原稿サイズを算出する。
【００４２】
故障検出部２１１２は、光源２２２をなす上記ＬＥＤに故障が発生しているか否かを、上記各ブロック毎に検出する。故障検出部２１１２による故障検出処理の詳細は後述する。
【００４３】
判断部２１１３は、故障検出部２１１２により故障の発生しているブロックが検出されているときに、原稿サイズ算出部２１１１によって読取対象とされている原稿の原稿サイズが算出された場合、故障が発生していない各ブロックによって照射される連続した照射領域の上記主走査方向における幅が、当該算出された原稿サイズの主走査方向幅以上となっているか否かを判断する。
【００４４】
表示制御部２１１４は、表示部５１の表示制御を司る。表示制御部２１１４は、例えば、判断部２１１３によって照射領域が、原稿サイズ算出部２１１１によって算出された原稿サイズの面積以上であると判断された場合に、表示部５１に、原稿の向きを変えることを促すメッセージを表示させる。
【００４５】
制御部２１１５は、複合機１の全体的な動作制御を司り、画像読取装置２の動作制御も担当する。例えば、制御部２１１５は、メッセージの表示後に、操作部５にスキャナ部２２に原稿読取を行わせる旨の指示の入力が受け付けられたことをもって、当該原稿サイズが検出された原稿についての画像読取動作や、シェーディング補正用の白基準値及び白基準値を取得する画像読取動作を行うために必要なスキャナ部２２及びＣＩＳ２３１等の駆動機構の動作等を制御する。
【００４６】
ＲＡＭ２１２は、ＣＰＵ２１１による上記動作制御プログラムに従った複合機１及び画像読取装置２の動作制御時の作業領域として用いられる記憶機構である。
【００４７】
ＲＯＭ２１３は、上記動作制御プログラム等を記憶する。
【００４８】
操作部５は、操作者から、コピー動作開始指示等の各種操作指示を受け付けるものである。
【００４９】
A/D変換部２１７は、スキャナ部２２のＣＣＤ２２９、及びＣＩＳ２３１から送出されてくるアナログの電気信号からなる読取画像データを、ディジタルの読取画像データに変換する。また、A/D変換部２１７は、当該ディジタル変換後の読取画像データをシェーディング補正部２１８に出力する。
【００５０】
シェーディング補正部２１８は、スキャナ部２２による白色基準板１０の読み取り動作、及びＣＩＳ２３１によるシェーディングローラ１１の読み取り動作で取得された上記白基準値及び黒基準値を用いて、スキャナ部２２及びＣＩＳ２３１のそれぞれに読み取られた各原稿画像に対してシェーディング補正を行う。シェーディング補正部２１８は、画像処理部２１９に、シェーディング補正済みの原稿画像のデータを送出する。
【００５１】
画像処理部２１９は、シェーディング補正部２１８から送出されてくるシェーディング補正済の画像データに関する各種画像処理を行うものである。例えば、画像処理部２１９は、当該画像データに対して、レベル補正、ガンマ補正等の補正処理、画像データの圧縮又は伸長処理、拡大又は縮小処理などの画像加工処理を行う。
【００５２】
次に、原稿サイズ算出部２１１１、故障検出部２１１２、及びシェーディング補正部２１８の内部構成を説明する。図６は、原稿サイズ算出部２１１１及び故障検出部２１１２と、シェーディング補正部２１８の内部構成を示すブロック図である。図７は白基準値のサンプルデータの例を示す図である。図８はスキャナ部により原稿サイズ検出時に行われる画像読取での画素値のサンプルデータの例を示す図である。
【００５３】
シェーディング補正部２１８は、黒基準メモリ２１８１と、白基準メモリ２１８２と、シェーディング補正回路２１８５とを備える。
【００５４】
黒基準メモリ２１８１は、スキャナ部２２及びＣＩＳ２３１によって取得されたシェーディング補正用の黒基準値B(n)を記憶する。
【００５５】
白基準メモリ２１８２は、スキャナ部２２及びＣＩＳ２３１によって取得されたシェーディング補正用の白基準値W(n)を記憶する。
【００５６】
シェーディング補正回路２１８５は、スキャナ部２２による白色基準板１０の読み取り動作、又はＣＩＳ２３１によるシェーディングローラ１１の読み取り動作によって取得された黒基準値及び白基準値を用いて、スキャナ部２２又はＣＩＳ２３１に読み取られた原稿画像に対してシェーディング補正を行う。シェーディング補正回路２１８５は、例えば、256階調の場合、下記式(1)を用いて画像処理を行い、画像データを校正する。なお、入力実データとは、スキャナ部２２又はＣＩＳ２３１によって読み取られた実際の原稿画像のデータであり、入力画像データ値(I_out)とは、シェーディング補正後の原稿画像のデータである。入力実データ(I_in)とは、スキャナ部２２又はＣＩＳ２３１によって読み取られた原稿画像のデータである。
【００５７】
入力画像データ値(I_out)= 256×（入力実データ(I_in)−黒基準値B(n)）÷（白基準値W(n)−黒基準値B(n)）  …式(1)
故障検出部２１１２は、シェーディング補正部２１８による画像読取時のシェーディング補正時に、スキャナ部２２に備えられる光源２２２としてのLEDアレイ光源に備えられるＬＥＤ群の異常検出及び異常位置検出を行う。シェーディング補正時に、スキャナ部２２によってシェーディング補正用の白基準値W(n)が取得されたとき、光源２２２を構成する上記ブロックＡ〜Ｅのいずれかのブロックが異常であれば、白基準値W(n)は、図７のようなサンプルデータの分布を示す。すなわち、ブロックＡ〜Ｅのブロックの内、故障しているブロックによる照射領域は、ＬＥＤ非点灯による光量不足のため当該領域の輝度データが落ち込む（図７には、ブロックＤが故障して、当該ブロックＤのＬＥＤ群による照射が行われていない場合を示す）。故障検出部２１１２は、当該サンプルデータを、スキャナ部２２から取得して予め定められた値（閾値Ａ）と比較し、サンプルデータが閾値Ａよりも小さい領域のブロックを、異常（ＬＥＤ群が非点灯状態、劣化又は故障）が生じているブロックと検出する。ここで、当該予め定められた閾値Ａとしては、出力画像に黒スジあるいは、白スジとして出力されることがないぐらいに十分な輝度を保証する値（例えば、輝度200）である。故障検出部２１１２は、検出したブロック名を、内蔵するメモリに記憶しておく。
【００５８】
原稿幅算出部２１１０は、フラットベッドモード読取時、原稿給紙部２１が閉じられる直前に、制御部２１１５による制御の下、スキャナ部２２によりコンタクトガラス２２１上に載置されている読取対象の原稿が、原稿サイズ検出のために予め定められた1又は複数のライン数分読み取られたとき、スキャナ部２２から当該原稿の読取画像を取得し、当該原稿の画像をなす画素値が、主走査方向において、主走査方向に最初に並ぶ第１番目の画素から最終の画素までの画素値（複数ラインでの読取の場合は、主走査方向における同一画素位置についての複数ラインでの平均値）に基づいて、図８に示すような変化点を検出し、主走査方向に並ぶ第１番目の画素位置から、当該変化点に位置する画素の位置までの距離を、当該原稿の主走査方向における原稿幅として算出する。
【００５９】
原稿サイズ算出部２１１１は、原稿幅情報記憶部２１４１と、原稿サイズ検出部２１４３とを備える。
【００６０】
原稿幅情報記憶部２１４１は、A判サイズ,B判サイズ等の縦横別の定型原稿サイズ（規定原稿サイズ）のそれぞれに対応する上記主走査方向における原稿幅情報を記憶する。本実施形態では、A判縦の定型原稿サイズを検出するため、A判縦の定型原稿サイズに対応する上記主走査方向における原稿幅情報を記憶していれば足りる。
【００６１】
原稿サイズ検出部２１４３は、原稿幅算出部２１１０によって算出された上記主走査方向における原稿幅を有する原稿サイズを原稿幅情報記憶部２１４１から読み出し、当該読み出した原稿サイズを、当該読取対象とされている原稿の原稿サイズとして検出する。さらに、原稿サイズ検出部２１４３は、原稿幅算出部２１１０によって算出された原稿幅を有する原稿サイズが原稿幅情報記憶部２１４１に存在せず、故障検出部２１１２によって光源２２２をなす複数の上記ブロックのいずれか１つのブロックに故障が検出されている場合には、当該故障が検出されているブロックの配設位置に含まれる原稿サイズ切替ポイントに対応する原稿幅に対応する原稿サイズを、当該読取対象とされている原稿の原稿サイズとして検出する。
【００６２】
次に、複合機１のスキャナ部２２による画像読取動作について説明する。図９及び図１０は、複合機１のスキャナ部２２による画像読取動作時の処理を示すフローチャートである。図１１はスキャナ部により原稿サイズ検出時に行われる画像読取での画素値のサンプルデータの例を示す図である。図１２乃至図１４はコンタクトガラス上に載置された原稿と光源の各ブロックとの位置関係を示す図である。
【００６３】
ユーザからの指示に基づいて複合機１でコピー動作が開始され、シェーディング補正が行われる時、スキャナ部２２により上記白基準値W(n)及び黒基準値B(n)のシェーディングデータが取得されると（Ｓ１）、故障検出部２１１２が、上記主走査方向に並ぶ各画素についての当該白基準値W(n)が全て上記閾値Ａ以上であるかを判断する（Ｓ２）。すなわち、故障検出部２１１２は、光源２２２をなすＬＥＤ群の各ブロックＡ〜Ｅに非点灯等の故障が生じていないかを当該白基準値W(n)に基づいて検出する。
【００６４】
ここで、故障検出部２１１２が、主走査方向に並ぶ各画素の白基準値W(n)が全て閾値Ａ以上であると判断した場合は（Ｓ２でＹＥＳ）、制御部２１１５により通常のコピー動作が実行される（Ｓ１８）。すなわち、故障検出部２１１２により、光源２２２をなすＬＥＤ群の各ブロックに故障が生じていないと判断されたため、通常のコピー動作が行われる。
【００６５】
一方、故障検出部２１１２が、上記主走査方向に並ぶ各画素の白基準値W(n)のうち、閾値Ａに満たない値の画素値を示す領域が存在すると判断した場合は（Ｓ２でＮＯ）、表示制御部２１１４は、表示部５１に、コピー動作を続行するか否かの指示の入力をユーザに対して促す旨のメッセージを表示させる（Ｓ３）。なお、本実施形態では、図２に示したように、光源２２２の各ＬＥＤ群は、複数のブロック毎に駆動回路と接続されているため、１つのＬＥＤに非点灯状態等の不具合が生じた場合は、当該不具合を生じているＬＥＤを含むブロックに属する全てのＬＥＤが非点灯になり、当該不具合を生じているＬＥＤを含まないブロックに属するＬＥＤは点灯状態が維持される。このため、白基準値W(n)は、図７に示すように、故障しているブロックによる照射領域に対応する部分の画素値が、ＬＥＤ非点灯による光量不足によって輝度データが落ち込む。
【００６６】
上記メッセージの表示後、ユーザによるスタートボタン５５の操作等により、ユーザからコピー動作を続行しない旨の指示が入力されると（Ｓ４でＮＯ）、スキャナ部２２による以降の原稿画像読取動作及び記録部４０による画像形成動作は行われない。表示制御部２１１４は、表示部５１に、メンテナンス作業への修理依頼をユーザに促すサービンマンコールを示す旨のメッセージを表示させる（Ｓ１９）。
【００６７】
また、上記メッセージの表示後、ユーザによるスタートボタン５５の操作等により、ユーザからコピー動作続行指示が入力された場合は（Ｓ４でＹＥＳ）、表示制御部２１１４は、ユーザに対して定型サイズの原稿の載置を促す旨のメッセージを表示部５１に表示させる（Ｓ５）。ここで、定型サイズの原稿の載置を促すのは、光源２２２のブロックＡ〜Ｅのいずれかが故障しているため、フリーサイズの原稿がコンタクトガラス２２１上に載置され、載置された原稿の端部が、故障しているブロックによる照射領域内に位置してしまうと、当該載置された原稿の幅を算出できず、原稿サイズが算出できないためである。
【００６８】
そして、制御部２１１５は、スキャナ部２２に、原稿サイズ検出用のデータを取得するために、載置された原稿の画像の読取動作を行わせる（Ｓ６）。制御部２１１５は、光源２２２を点灯させた状態としてスキャナ部２２に当該原稿を読み取らせる。なお、このとき、上述したように、制御部２１１５がスキャナ部２２に1走査ラインのみの画像読取を行わせ、当該1走査ライン分の読取画像をなす画素の画素値を上記原稿サイズ検出用データとしてもよいし、制御部２１１５がスキャナ部２２に複数走査ライン分の画像読取を行わせ、当該複数走査ライン分の読取画像をなす画素の画素値の平均値を上記原稿サイズ検出用データとしてもよい。
【００６９】
この後、原稿幅算出部２１１０は、スキャナ部２２により読み取られた原稿の画像をなす画素値が、主走査方向において、主走査方向に最初に並ぶ第１番目の画素から最終の画素までの画素値に基づいて、主走査方向における当該第１番目の画素から、上述した変化点となる画素までの距離を、当該原稿の主走査方向における原稿幅として算出する（Ｓ７）。
【００７０】
続いて、原稿サイズ検出部２１４３は、原稿幅算出部２１１０によって算出された原稿幅を有する原稿サイズが原稿幅情報記憶部２１４１に記憶されているか否かを判断する（Ｓ８）。本実施形態では、原稿幅情報記憶部２１４１にはＡ判縦サイズの定型原稿サイズ情報が記憶されているものとし、複合機１によって、Ａ判縦の定型原稿サイズの検出を行うものとする。ここで、当該算出された原稿幅を有する原稿サイズが原稿幅情報記憶部２１４１に記憶されている場合は（Ｓ８でＹＥＳ）、原稿サイズ検出部２１４３は、当該原稿サイズを、当該読取対象とされている原稿の原稿サイズとして検出する（Ｓ１７）。
【００７１】
また、原稿サイズ検出部２１４３は、原稿幅算出部２１１０によって算出された原稿幅を有する原稿サイズが原稿幅情報記憶部２１４１に存在しない場合には（Ｓ８でＮＯ）、Ｓ２において故障検出部２１１２により検出された故障検出結果（図７に示すような白基準値W(n)のサンプルデータ分布）に基づいて、故障が発生しているブロックがブロックＡ〜Ｅのいずれのブロックであるかを判定すると共に、故障しているブロックが１つのみであるかを検出する（Ｓ９）。原稿サイズ検出部２１４３は、故障しているブロックが１つのみであると検出した場合（Ｓ９でＹＥＳ）、当該故障が検出されているブロックの配設位置に含まれる原稿サイズ切替ポイントに対応する原稿幅を有する原稿サイズを原稿幅情報記憶部２１４１から読み出し、当該読み出した原稿サイズを、当該読取対象とされている原稿の原稿サイズとして検出する（Ｓ１０）。
【００７２】
なお、原稿サイズ検出部２１４３が、故障しているブロックが複数であると検出した場合には（Ｓ９でＮＯ）、表示制御部２１１４は、表示部５１に、メンテナンス作業への修理依頼をユーザに促すサービンマンコールを示す旨のメッセージを表示させる（Ｓ１９）。
【００７３】
例えば、光源２２２のブロックＡ〜Ｅのブロックのいずれか１つに故障が発生している場合、図１１に示すように、上記変化点は、上記故障が検出されたブロックと当該ブロックに隣接しているブロックの境界に位置する画素の画素値として現れる。なお、この例では、図１１には、ブロックＤが故障である場合を示している。ここで、本実施形態では、各ブロックＢからＥは、主走査方向において定型サイズの１つのサイズに対応する原稿幅ポイントを含むように設定されているため、当該境界部分の変化点を原稿幅として検出しても、この原稿幅に対応するＡ判縦の原稿サイズ情報は原稿幅情報記憶部２１４１には記憶されていない。このとき、ブロックＡ〜Ｃによる照射領域の画素値にも、ブロックＥによる照射領域の画素値にも上記変化点は現れていない場合、コンタクトガラス２２１に載置されている原稿のサイズがＡ判縦の定型原稿サイズであることが前提であり、原稿幅に対応する原稿サイズが原稿幅情報記憶部２１４１に記憶されていなければ、当該読取対象とされている原稿の原稿幅を示す真の変化点は、図１１に示す変化点ではなく、当該故障しているブロックに含まれる原稿サイズ切替ポイントである可能性が高い。このため、この例でいえば、原稿サイズ検出部２１４３は、光源２２２のブロックＡ〜Ｅのブロックのいずれかに故障が発生している場合であって、算出された原稿幅に対応する原稿サイズが原稿幅情報記憶部２１４１に記憶されていなければ、当該読取対象とされている原稿の原稿サイズは、当該故障しているブロックに含まれる原稿サイズ切替ポイントに対応する原稿幅を有する定型原稿サイズ、すなわち、Ａ４縦サイズであると検出する。
【００７４】
さらに、判断部２１１３は、光源２２２における故障が発生していないブロックのＬＥＤ群のみによって、当該検出された原稿サイズからなる原稿の読取が可能であるか否かを判断する（Ｓ１１）。例えば、図１２に示すように、光源２２２のブロックＤが故障している場合、Ｓ９及びＳ１０の処理で検出されるＡ４縦サイズの原稿は、故障したブロックＤにより原稿の一部が非照射領域Ｒとなるため、スキャナ部２２による正常な原稿画像の読取は不可能である。但し、図１３に示すように、光源２２２のブロックＢが故障している場合であって、Ｓ９及びＳ１０の処理でＡ６縦サイズが検出される場合、当該原稿は、故障したブロックＢにより原稿の一部が非照射領域Ｒとなるが、他のブロックＣ及びブロックＤの照射領域に、コンタクトガラス２２１上における原稿の載置位置を変更することにより、スキャナ部２２による正常な原稿画像の読取が可能となる。このため、判断部２１１３は、光源２２２における故障が発生していないブロックのＬＥＤ群のみによって、当該検出された原稿サイズからなる原稿の読取が可能であるか否かを判断する。
【００７５】
具体的には、判断部２１１３は、主走査方向において、故障が発生していない各ブロックによって照射される連続した照射領域の上記主走査方向における幅が、上記検出された原稿サイズの主走査方向幅以上となっているか否かを判断することで、上記状態のスキャナ部２２により、この時点で読取対象とされている原稿の画像読取が可能か否かを判断する。
【００７６】
ここで、判断部２１１３によって、上記連続した照射領域の上記主走査方向における幅が、上記検出された原稿サイズの主走査方向幅以上となっていると判断された場合には（Ｓ１１でＹＥＳ）、表示制御部２１１４は、表示部５１に、コンタクトガラス２２１上における原稿の載置位置を変更することを促すメッセージを表示させる（Ｓ１２）。この場合、判断部２１１３は、各ブロックＡ〜Ｄのそれぞれについての上記主走査方向における配設位置情報を記憶しており、故障が発生していない各ブロックによる連続した照射領域であって、上記検出された原稿サイズの主走査方向幅以上となっている照射領域を形成しているブロックが、各ブロックＡ〜Ｄのいずれであるかを検出し、Ｓ１２において、表示制御部２１１４が、当該検出されたブロックを上記メッセージと共に表示部５１に表示させることが好ましい。また、判断部２１１３は、各ブロックＡ〜Ｄのうち、故障しているブロック、又は故障していないブロック、これらの両方を検出し、表示制御部２１１４が、当該故障しているブロック、又は故障していないブロック、これらの両方を、上記メッセージとして、表示部５１に表示させてもよい。
【００７７】
そして、上記Ｓ１２におけるメッセージの表示後、ユーザによるスタートボタン５５の操作により、コピー動作実行指示が再度入力されると（Ｓ１３でＹＥＳ）、制御部２１１５は、給紙カセット４６１及び手差しトレイ４７１等からなる給紙機構により給紙される原稿のサイズを、上記検出された原稿サイズに設定する（Ｓ１４）。制御部２１１５は、上記検出された原稿サイズの主走査方向幅以上となっている連続した照射領域を形成しているブロックによる照射でスキャナ部２２による原稿画像の読取が行われるように、スキャナ部２２を設定した上で、スキャナ部２２による画像読取動作及び記録部４０による画像形成動作を行わせる（Ｓ１５）。但し、Ｓ１５においては、制御部２１１５は、スキャナ部２２に、各ブロックＡ〜Ｄの全てに照射を行わせて原稿画像の読取を行わせ、画像処理部２１９が、上記連続した照射領域を形成しているブロックによる照射領域で読み取られた原稿画像のみを抽出し、当該抽出された画像データを記録部４０による画像形成動作用の画像データとしてもよい。
【００７８】
また、上記Ｓ１２におけるメッセージの表示後、ユーザによるスタートボタン５５の操作により、コピー動作実行指示が再度入力されない場合（Ｓ１３でＮＯ）、スキャナ部２２による以降の原稿画像読取動作及び記録部４０による画像形成動作は行われない。
【００７９】
なお、判断部２１１３によって、上記連続した照射領域の上記主走査方向における幅が、上記検出された原稿サイズの主走査方向幅以上ではないと判断された場合には（Ｓ１１でＮＯ）、当該検出された原稿サイズの原稿画像の読取は、現状のスキャナ部２２では不可能であるため、表示制御部２１１４は、当該原稿の読取が不可能である旨のメッセージを表示部５１に表示させる（Ｓ１６）。なお、Ｓ１６の処理後、Ｓ１３でＮＯと判断された後は、表示制御部２１１４は、表示部５１に、上記サービンマンコールを示す旨のメッセージを表示させる（Ｓ１９）。
【００８０】
なお、本発明は上記実施の形態の構成に限られず種々の変形が可能である。例えば、上記実施形態では、Ａ判縦サイズの検出を例にして説明したが、光源２２２のブロックの数を増やし、各ブロック幅を短くすると共に、Ａ判縦の各サイズに対応する主走査方向における原稿幅情報と、Ｂ判縦の各サイズに対応する主走査方向における原稿幅情報と、さらに、他のサイズの主走査方向における各原稿幅情報とからなる全ての原稿幅情報について、各ブロックが２つ以上の原稿幅情報を含まないように各ブロックを配設し、さらに、原稿幅情報記憶部２１４１に、A判縦サイズ,B判縦サイズ,他のサイズの定型原稿サイズのそれぞれに対応する上記主走査方向における原稿幅情報を記憶させておくことによって、Ａ判縦、Ｂ判縦、更に他のサイズについての主走査方向原稿幅の算出、ひいては、Ａ判縦、Ｂ判縦、更に他のサイズの原稿サイズを算出することが可能になる。
【符号の説明】
【００８１】
１          複合機
２          画像読取装置
２２        スキャナ部
２２２      光源
２２２１    コンバータ
２２２２    低電流駆動回路
４０        記録部
５１        表示部
５５        スタートボタン
２１０      画像読取回路
２１１      ＣＰＵ
２１１０    原稿幅算出部
２１１１    原稿サイズ算出部
２１１２    故障検出部
２１１３    判断部
２１１４    表示制御部
２１１５    制御部
２１４１    原稿幅情報記憶部
２１４３    原稿サイズ検出部
２１８      シェーディング補正部
２１９      画像処理部
２２１      コンタクトガラス
Ａ〜Ｅ      ブロック
【図１】
2010252088.tif 000003
【図２】
2010252088.tif 000004
【図３】
2010252088.tif 000005
【図４】
2010252088.tif 000006
【図５】
2010252088.tif 000007
【図６】
2010252088.tif 000008
【図７】
2010252088.tif 000009
【図８】
2010252088.tif 000010
【図９】
2010252088.tif 000011
【図１０】
2010252088.tif 000012
【図１１】
2010252088.tif 000013
【図１２】
2010252088.tif 000014
【図１３】
2010252088.tif 000015
【図１４】
2010252088.tif 000016